(57)【特許請求の範囲】
【請求項１】
電動工具本体と、当該電動工具本体に対して着脱式のバッテリパックとを備えた電動工具であって、
携帯端末との近接通信により、接続される機器の組み合わせの認証を経て使用許可フラグが書き込まれる記憶手段と、
前記記憶手段の使用許可フラグがオンとなっている場合に通電を許可する制御手段と
を前記電動工具本体と前記バッテリパックのそれぞれに備えたことを特徴とする電動工具。
【請求項２】
請求項１に記載の電動工具において、
前記バッテリパックに、バッテリ状態をチェックする手段を備え、
前記制御手段は、バッテリ状態が正常であることを通電の条件とすることを特徴とする電動工具。
【請求項３】
請求項１または２のいずれか一項に記載の電動工具において、
前記電動工具本体と前記バッテリパックのそれぞれに、前記携帯端末と近接通信を行う無線ＩＤチップを備えたことを特徴とする電動工具。
【請求項４】
請求項１または２のいずれか一項に記載の電動工具において、
前記バッテリパックに、前記携帯端末と近接通信を行う無線ＩＤチップを備え、
前記バッテリパックと前記電動工具本体との間の接触通信により、前記電動工具本体の前記記憶手段に使用許可フラグの書き込みを行うことを特徴とする電動工具。
【請求項５】
請求項１乃至４のいずれか一項に記載の電動工具において、
前記制御手段は、前回の使用時から今回の使用時までの経過時間を判断する手段を備え、
前記制御手段は、前回の使用時から今回の使用時までに所定時間を経過していない場合、前記使用許可フラグを通電の条件とせずに通電を許可することを特徴とする電動工具。
【発明の詳細な説明】
【技術分野】
【０００１】
本発明は、バッテリ着脱型の電動工具の制御技術に関する。
【背景技術】
【０００２】
プロ仕様の電動工具は、バッテリ持続時間やパワーの面で優れるが、高価である。そのため、盗難による転用・転売等の対象になりやすいが、手で簡単に持っていくことができるため、盗難されやすいという性質がある。また、盗難に限らず、間違えによる持ち去りや紛失等も多く、当初は盗難の意図はなくても、結果的に転用・転売等の対象になる可能性も高い。
【０００３】
更に、電動工具の主たるユーザである建設業や内装業等は個人営業が多く、電動工具が個人所有であることが多い。特に、建設や内装等の現場では多数の業者が出入りする環境であるため、自分の電動工具は自分で管理しなければならない。
【０００４】
一方、バッテリを電源とする電動工具では、リチウムイオン電池等の採用によりバッテリ持続時間やパワーが向上しているが、エネルギー量が大きいため、純正品であっても不良バッテリや、純正品でない再生バッテリや互換バッテリ等を使うと、発火等により重大事故につながる可能性もある。
【発明の概要】
【発明が解決しようとする課題】
【０００５】
電動工具の盗難防止策として、
（１）電動工具をハードワイヤ等で頑丈なものに固定する手法
（２）電動工具にキー操作で適正なキー数列を入力してロックを解除する手法
（３）電動工具に所定の無線リモコン、ＩＣカード、近接ＲＦＩＤカード等の電子キーを近接させてロックを解除する手法
等が考えられている。
【０００６】
しかし、上記（１）の手法は、周囲に固定できる頑丈なものがなければ用を足ささないとともに、ハードワイヤ等を別途購入等しなければならず負担が大きい。また、電動工具から離れる度に固定し直さなければならず、操作が煩雑である。
【０００７】
上記（２）（３）の手法は、盗難をしても使用できないので盗難は無駄という考えを起こさせ、盗難を抑止するものである。
【０００８】
しかし、上記（２）の手法は、キー入力の操作の困難さによる操作性の悪さやコストアップにより、実用になったものがない。なお、特許文献１には、上記（２）の手法の一例として、識別コードの入力をキーとして、通常使用モードと使用停止モードを切り替え、正しいキーが入力されたときのみ使用できるようにする構成が開示されている。
【０００９】
また、上記（３）の手法についても、リモコンやカード等の追加装置によるコストアップや、リモコン等の携帯を忘れたり紛失したりしやすい等の理由から、実用になったものがない。
【００１０】
一方、盗難抑止効果だけでなく、粗悪バッテリによる事故を防止するために、バッテリが純正品であるか等を確認する機能が必要である。上述した特許文献１には、バッテリ等着脱式ユニットと工具本体の両方に識別用ＩＤを設定しておき、その両者が一致しないときには使用停止モードになるような構成が示されている。
【００１１】
しかし、特許文献１では筐体や回路部分はそのままでバッテリセルだけを交換した再生バッテリには対応することができない。また、バッテリは複数所有したり、同じバッテリを複数の製品で使用したりすることが多いが、そのような状況について考慮されていない。
【００１２】
本発明は上記の従来の問題点に鑑み提案されたものであり、その目的とするところは、操作性の点で有利な電子キーの手法で盗難抑止を図るとともに、電子キーを忘れたり紛失したりしにくく、バッテリと本体の種々の組み合わせに対応でき、粗悪バッテリによる事故を有効に防止し、少ない部品点数かつ低価格で実現することにある。
【課題を解決するための手段】
【００１３】
上記の課題を解決するため、本発明にあっては、電動工具本体と、当該電動工具本体に対して着脱式のバッテリパックとを備えた電動工具であって、携帯端末との近接通信により、接続される機器の組み合わせの認証を経て使用許可フラグが書き込まれる記憶手段と、前記記憶手段の使用許可フラグがオンとなっている場合に通電を許可する制御手段とを前記電動工具本体と前記バッテリパックのそれぞれに備えるようにしている。
【発明の効果】
【００１４】
本発明の電動工具にあっては、操作性の点で有利な電子キーの手法で盗難抑止を図るとともに、電子キーを忘れたり紛失したりしにくく、バッテリと本体の種々の組み合わせに対応でき、粗悪バッテリによる事故を有効に防止し、少ない部品点数かつ低価格で実現することができる。
【図面の簡単な説明】
【００１５】
【図１】本発明の一実施形態にかかるシステムの構成例を示す図である。
【図２】電動工具の外観例を示す図である。
【図３】電動工具の一般的な内部構成例を示す図である。
【図４】本発明の一実施形態にかかる電動工具の内部構成例を示す図である。
【図５】本発明の一実施形態にかかる電動工具の他の内部構成例を示す図である。
【図６】電動工具本体およびバッテリパックの内部で保持される機器情報テーブルのデータ構造例を示す図である。
【図７】携帯端末としてのスマートフォンの処理例を示すフローチャート（その１）である。
【図８】携帯端末としてのスマートフォンの処理例を示すフローチャート（その２）である。
【図９】携帯端末としてのスマートフォンによる電動工具に対する操作例を示す図（その１）である。
【図１０】携帯端末としてのスマートフォンによる電動工具に対する操作例を示す図（その２）である。
【図１１】無線ＩＤチップの処理例を示すフローチャートである。
【図１２】バッテリパックに内蔵されるＣＰＵの処理例を示す図である。
【図１３】電動工具本体に内蔵されるＣＰＵの処理例を示す図である。
【発明を実施するための形態】
【００１６】
以下、本発明の好適な実施形態につき説明する。
【００１７】
＜構成＞
図１は本発明の一実施形態にかかるシステムの構成例を示す図である。
【００１８】
図１において、電動工具１の内部に設けられた無線ＩＤチップに対して、スマートフォン（スマホ）等の携帯端末４により、専用のアプリケーション（プログラム）によりアクセスが行えるようになっている。また、携帯端末４は、電動工具１へのアクセスに際し、携帯電話基地局やＷｉ−Ｆｉスポット等のアクセスポイント５およびインターネット等のネットワーク６を介して情報収集サーバ７もしくはメーカサーバ８にアクセスが行えるようになっている。
【００１９】
携帯端末４は、電動工具１に対して正規のユーザのみが使用できるようにする電子キー（鍵）として動作するとともに、新たな機器（電動工具１を構成する電動工具本体およびバッテリパック）を登録したり登録内容を変更したりすることができる。また、電動工具本体とバッテリパックが接続可能なものであるかをチェックする機能も有しているとともに、機器状態を確認する機能も有している。
【００２０】
情報収集サーバ７は電動工具１を構成する電動工具本体およびバッテリパックの個々について識別情報（ＩＤ）や機器情報を管理する機能を有している。メーカサーバ８は電動工具１を製造するメーカにおける情報管理のための装置であり、情報収集サーバ７から必要な情報が抽出されてメーカサーバ８に蓄積される。
【００２１】
図２は電動工具１の外観例を示す図である。
【００２２】
図２において、電動工具１はモータ等の主要な部分を備えた電動工具本体２と、電動工具本体２に着脱可能なバッテリパック３とを備えている。
【００２３】
図３は電動工具１の一般的な内部構成例を示す図である。
【００２４】
図３において、電動工具本体２は、モータ２０３の一端と外部接続端子２０１との間にスイッチ２０４が接続され、モータ２０３の他端と外部接続端子２０２との間にモータ制御回路２０５の主経路が接続されている。モータ制御回路２０５の電源端子は、モータ２０３とスイッチ２０４の接続点に接続されている。モータ制御回路２０５のアースラインは外部接続端子２０２側となっている。
【００２５】
バッテリパック３から電源電圧が供給されている場合、スイッチ２０４をオン（ＯＮ）にすることで、モータ制御回路２０５は電源を得て動作を開始し、モータ２０３の電流を適切な値に制御してモータ駆動を行う。
【００２６】
一方、バッテリパック３は、複数段（図示の例では４段）積層されたバッテリセル３０３の一端と外部接続端子３０１との間にトランジスタ３０５の主経路が接続され、バッテリセル３０３の他端と外部接続端子３０２との間に電流検出用の抵抗３０６が接続されている。また、バッテリ制御回路３０４が設けられ、このバッテリ制御回路３０４には、バッテリセル３０３の各セルおよび抵抗３０６の両端と、バッテリセル３０３と近接して配置されたサーミスタ３０７の両端とが接続され、バッテリ制御回路３０４の出力端子はトランジスタ３０５の制御端子に接続されている。バッテリ制御回路３０４のアースラインは外部接続端子３０２側となっている。
【００２７】
バッテリ制御回路３０４はバッテリセル３０３の電圧で動作し、各セルの電圧と抵抗３０６により検出される電流とサーミスタ３０７により検出される温度とに基づいてトランジスタ３０５を制御し、バッテリパック３から出力される電圧・電流を制御する。
【００２８】
図４は本発明の一実施形態にかかる電動工具１の内部構成例を示す図である。
【００２９】
図４において、電動工具本体２は、モータ２０３の一端が外部接続端子２０１に接続され、モータ２０３の他端はモータ制御回路２０５の主経路を介して外部接続端子２０２に接続されている。外部接続端子２０２はアースラインに接続されている。スイッチ２０４は外部接続端子２０６と外部接続端子２０７の間に接続され、外部接続端子２０７側は後述するＣＰＵ２０８等への電源ラインに接続されている。
【００３０】
また、モータ制御回路２０５の制御動作を行うＣＰＵ２０８が設けられており、ＣＰＵ２０８の入出力ポート（制御により入力ポートと出力ポートを切換可能）とアースライン間には前回の動作状態からの経過時間を保持電圧により判断するためのＣＲ並列回路２０９が接続されている。ＣＰＵ２０８の電源端子は電源ラインに接続され、アース端子はアースラインに接続されている。
【００３１】
更に、ＣＰＵ２０８から内部のメモリ（フラッシュメモリ等の不揮発性メモリ）の読み書きが可能な無線ＩＤチップ２１０が設けられており、無線ＩＤチップ２１０の電源端子と電源ラインの間には逆流阻止（無線ＩＤチップ２１０が受信した電磁波を整流して自前で電源を生成した際に、その電源が電源ラインに逆流するのを阻止）用のダイオード２１１が接続されている。無線ＩＤチップ２１０のアース端子はアースラインに接続されている。
【００３２】
一方、バッテリパック３は、複数段（図示の例では４段）積層されたバッテリセル３０３の一端と外部接続端子３０８との間にトランジスタ３０５の主経路が接続され、バッテリセル３０３の他端と外部接続端子３０２との間に電流検出用の抵抗３０６が接続されている。また、バッテリ制御回路３０４が設けられ、このバッテリ制御回路３０４には、バッテリセル３０３の各セルおよび抵抗３０６の両端と、バッテリセル３０３と近接して配置されたサーミスタ３０７の両端とが接続され、バッテリ制御回路３０４の出力端子はトランジスタ３０５の制御端子に接続されている。外部接続端子３０２はアースラインに接続されている。
【００３３】
また、外部接続端子３０１と外部接続端子３０９の間にはトランジスタ３１２の主経路が接続され、外部接続端子３０９は後述するＣＰＵ３１０等への電源ラインに接続されている。
【００３４】
また、バッテリ制御回路３０４の制御動作を行うＣＰＵ３１０が設けられており、ＣＰＵ３１０の制御出力端子はトランジスタ３１２の制御端子に接続されている。なお、トランジスタ３１２を省略し、ＣＰＵ３１０の制御出力端子をトランジスタ３０５の制御端子に接続するようにしてもよい。
【００３５】
ＣＰＵ３１０の入出力ポート（制御により入力ポートと出力ポートを切換可能）とアースライン間には前回の動作状態からの経過時間を保持電圧により判断するためのＣＲ並列回路３１１が接続されている。ＣＰＵ３１０の電源端子は電源ラインに接続され、アース端子はアースラインに接続されている。
【００３６】
更に、ＣＰＵ３１０から内部のメモリ（フラッシュメモリ等の不揮発性メモリ）の読み書きが可能な無線ＩＤチップ３１３が設けられており、無線ＩＤチップ３１３の電源端子と電源ラインの間には逆流阻止（無線ＩＤチップ３１３が受信した電磁波を整流して自前で電源を生成した際に、その電源が電源ラインに逆流するのを阻止）用のダイオード３１４が接続されている。無線ＩＤチップ３１３のアース端子はアースラインに接続されている。
【００３７】
図５は電動工具１の他の内部構成例を示す図である。
【００３８】
図５においては、図４の構成と比較して、電動工具本体２では、無線ＩＤチップ２１０とダイオード２１１とを省略し、ＣＰＵ２０８にメモリ（フラッシュメモリ等の不揮発性メモリ）２１２を設けている。また、ＣＰＵ２０８は外部接続端子２１３を介してバッテリパック３側のＣＰＵ３１０と双方向通信を行えるようになっている。
【００３９】
バッテリパック３では、ＣＰＵ３１０は外部接続端子３１５を介して電動工具本体２側のＣＰＵ２０８と双方向通信を行えるようになっている。無線ＩＤチップ３１３の電源端子は電源ラインに直接に接続されている。これにより、無線ＩＤチップ３１３が外部からの受信した電磁波を整流して自前で電源を生成した際、バッテリパック３側のＣＰＵ３１０と電動工具本体２側のＣＰＵ２０８が動作可能となり、電源がオフ（スイッチ２０４がオフ）の状態でも双方向通信を行うことができる。
【００４０】
図６は電動工具本体２およびバッテリパック３の内部で保持される機器情報テーブルのデータ構造例を示す図である。機器情報テーブルは、図４の電動工具本体２では無線ＩＤチップ２１０内のメモリに保持され、図４のバッテリパック３では無線ＩＤチップ３１３内のメモリに保持される。図５の電動工具本体２ではメモリ２１２に保持され、図５のバッテリパック３では無線ＩＤチップ３１３内のメモリに保持される。
【００４１】
図６において、機器情報テーブルは、「製品出荷シリアルＩＤ」「使用許可フラグ（回数）」「接続品ＩＤ＃１」「接続品ＩＤ＃２」〜「接続品ＩＤ＃ｎ」「スマホＩＤ＃１〜＃ｎ」「使用開始日時」「通電時間」「メンテナンス情報＃１」「メンテナンス情報＃２」「暗号化用キー情報」等の項目を有している。
【００４２】
「製品出荷シリアルＩＤ」は、製品（機器）を識別する情報であり、電動工具本体２の保持する機器情報テーブルでは「本体ＩＤ」となり、バッテリパック３の保持する機器情報テーブルは「バッテリＩＤ」となる。「使用許可フラグ（回数）」は、当該機器の使用が許可された場合に「ＯＮ（１）」とされるフラグである。「接続品ＩＤ＃１」「接続品ＩＤ＃２」〜「接続品ＩＤ＃ｎ」は、当該機器に接続可能な相手方の機器を識別する情報である。「スマホＩＤ＃１〜＃ｎ」は、当該機器とペアリングしたスマートフォン（携帯端末４）を識別する情報である。「使用開始日時」は、最初に認証した日時の情報である。「通電時間」は、当該機器の使用量を示す情報であり、電動工具本体２の保持する機器情報テーブルでは動作時間積算が記録され、バッテリパック３の保持する機器情報テーブルはバッテリ放電回数積算が記録される。「メンテナンス情報＃１」「メンテナンス情報＃２」は、当該機器のメンテナンスに関する情報であり、電動工具本体２の保持する機器情報テーブルでは修理番号や年月日時等の修理履歴が記録され、バッテリパック３の保持する機器情報テーブルはバッテリ満充電電圧やバッテリ疲労度が記録される。「暗号化用キー情報」は、外部と通信を行う際に暗号化に用いられる情報である。
【００４３】
＜動作＞
図７および図８は携帯端末４としてのスマートフォンの処理例を示すフローチャートである。
【００４４】
図７において、携帯端末４でユーザが専用のアプリケーションを起動することで処理を開始すると（ステップＳ１０１）、携帯端末４の近接無線機能により周辺の無線ＩＤチップに対してポーリングを開始する（ステップＳ１０２）。
【００４５】
そして、携帯端末４は、「認証する機器にかざしてください。」等の表示を行なう（ステップＳ１０３）。
【００４６】
ユーザが携帯端末４をバッテリパック３にかざすと（ステップＳ１０４）、携帯端末４は、近接無線機能のＲｅａｄモードをＯＮにし（ステップＳ１０５）、バッテリパック３の機器情報テーブルからバッテリＩＤを取得するとともに（ステップＳ１０６）、その他の各種のバッテリ情報を読み込む（ステップＳ１０７）。
【００４７】
次いで、携帯端末４は、サーバ接続が可能であるか否か判断する（ステップＳ１０８）。
【００４８】
サーバ接続が可能であると判断した場合（ステップＳ１０８のＹｅｓ）、携帯端末４は、サーバ通信により、バッテリＩＤの照会を行うとともに、機器情報の送信を行う（ステップＳ１０９）。
【００４９】
バッテリＩＤの照会の結果、情報収集サーバ７に未登録であった場合（ステップＳ１１０のＹｅｓ）、携帯端末４は、「！  このバッテリは未登録です。登録しますか？」等の表示を行なう（ステップＳ１１１）。
【００５０】
ユーザが登録を拒否した場合（ステップＳ１１２のＮｏ）、携帯端末４は、「登録しないとこの機器、バッテリは使えません。」等の表示を行ない（ステップＳ１１３）、処理を終了する。
【００５１】
ユーザが登録を指示した場合（ステップＳ１１２のＹｅｓ）、携帯端末４は、サーバ通信によりバッテリＩＤの登録を行う（ステップＳ１１４）。
【００５２】
バッテリＩＤが登録されていた場合（ステップＳ１１０のＮｏ）もしくは新たに登録（ステップＳ１１４）した後、携帯端末４は、他の機器で認証登録済か否か判断する（ステップＳ１１５）。
【００５３】
他の機器で認証登録済であると判断した場合（ステップＳ１１５のＹｅｓ）、携帯端末４は、「！  このバッテリはすでに別機器に利用登録されています。」等の表示を行なう（ステップＳ１１６）。
【００５４】
次いで、携帯端末４は、サーバ通信によりメーカサーバ８に問い合わせを行なって利用不可・盗難登録リストの照合を行ない（ステップＳ１１７）、利用可能なバッテリでない場合（ステップＳ１１８のＮｏ）、「×  不正なバッテリです。」等の表示を行ない（ステップＳ１１９）、処理を終了する。
【００５５】
また、利用可能なバッテリである場合（ステップＳ１１８のＹｅｓ）、携帯端末４は、再登録するか臨時登録するかをユーザに確認し（ステップＳ１２０）、再登録する場合はサーバ通信によりバッテリＩＤの再登録を行ない（ステップＳ１２１）、臨時登録する場合はサーバ通信によりバッテリＩＤの臨時登録を行なう（ステップＳ１２２）。
【００５６】
他の機器で認証登録済でないと判断した場合（ステップＳ１１５のＮｏ）もしくはバッテリＩＤの再登録・臨時登録（ステップＳ１２１、Ｓ１２２）の後、携帯端末４は、「機器へかざしてください。」等の表示を行なう（ステップＳ１２３）。
【００５７】
ユーザが携帯端末４を電動工具本体２にかざすと、携帯端末４は、近接無線機能のＲｅａｄモードをＯＮにし（ステップＳ１２４）、電動工具本体２の機器情報テーブルから本体ＩＤを取得するとともに（ステップＳ１２５）、その他の各種の本体情報を読み込む（ステップＳ１２６）。
【００５８】
次いで、携帯端末４は、サーバ問い合わせによりバッテリＩＤと本体ＩＤの照会を行う（ステップＳ１２７）。
【００５９】
認証されない場合（ステップＳ１２８のＮｏ）、認証エラーとし（ステップＳ１２９）、処理を終了する。
【００６０】
一方、サーバ接続が可能でないと判断した場合（ステップＳ１０８のＮｏ）、図８において、携帯端末４は、バッテリパック３側の機器情報テーブルにスマホＩＤがあるか否か判断する（ステップＳ１３０）。
【００６１】
スマホＩＤがないと判断した場合（ステップＳ１３０のＮｏ）、携帯端末４は、「！  このバッテリは未登録です。登録しますか？」等の表示を行ない（ステップＳ１３１）、ユーザが登録を拒否した場合（ステップＳ１３２のＮｏ）は「登録しないとこの機器、バッテリは使えません。」等の表示を行ない（ステップＳ１３３）、処理を終了する。
【００６２】
スマホＩＤがあると判断した場合（ステップＳ１３０のＹｅｓ）もしくはユーザが登録を指示した場合（ステップＳ１３２のＹｅｓ）、携帯端末４は、「機器へかざしてください。」等の表示を行なう（ステップＳ１３４）。
【００６３】
ユーザが携帯端末４を電動工具本体２にかざすと、携帯端末４は、近接無線機能のＲｅａｄモードをＯＮにし（ステップＳ１３５）、電動工具本体２の機器情報テーブルから本体ＩＤを取得するとともに（ステップＳ１３６）、その他の各種の本体情報を読み込む（ステップＳ１３７）。
【００６４】
次いで、携帯端末４は、電動工具本体２側の機器情報テーブルにスマホＩＤがあるか否か判断する（ステップＳ１３８）。
【００６５】
スマホＩＤがないと判断した場合（ステップＳ１３８のＮｏ）、携帯端末４は、「！  このバッテリは未登録です。登録しますか？」等の表示を行ない（ステップＳ１３９）、ユーザが登録を拒否した場合（ステップＳ１４０のＮｏ）は「登録しないとこの機器、バッテリは使えません。」等の表示を行ない（ステップＳ１３３）、処理を終了する。
【００６６】
スマホＩＤがあると判断した場合（ステップＳ１３８のＹｅｓ）もしくはユーザが登録を指示した場合（ステップＳ１４０のＹｅｓ）、携帯端末４は、電動工具本体２側の機器情報テーブルにバッテリＩＤがあるか否か判断する（ステップＳ１４１）。
【００６７】
バッテリＩＤがないと判断した場合（ステップＳ１４１のＮｏ）、携帯端末４は、「！  このバッテリは未登録です。登録しますか？」等の表示を行ない（ステップＳ１４２）、ユーザが登録を拒否した場合（ステップＳ１４３のＮｏ）は「登録しないとこの機器、バッテリは使えません。」等の表示を行ない（ステップＳ１３３）、処理を終了する。
【００６８】
バッテリＩＤがあると判断した場合（ステップＳ１４１のＹｅｓ）もしくはユーザが登録を指示した場合（ステップＳ１４３のＹｅｓ）、携帯端末４は、バッテリパック３側の機器情報テーブルに本体ＩＤがあるか否か判断する（ステップＳ１４４）。
【００６９】
本体ＩＤがないと判断した場合（ステップＳ１４４のＮｏ）、携帯端末４は、「！  このバッテリは未登録です。登録しますか？」等の表示を行ない（ステップＳ１４５）、ユーザが登録を拒否した場合（ステップＳ１４６のＮｏ）は「登録しないとこの機器、バッテリは使えません。」等の表示を行ない（ステップＳ１３３）、処理を終了する。
【００７０】
ユーザが登録を指示した場合（ステップＳ１４６のＹｅｓ）、携帯端末４は、「スマホＩＤ、本体ＩＤをバッテリＩＤに登録します。バッテリにかざしてください。」等の表示を行う（ステップＳ１４７）。
【００７１】
次いで、携帯端末４は、近接無線機能のＷｒｉｔｅモードをＯＮにし（ステップＳ１４８）、バッテリパック３に本体情報を書き込む（ステップＳ１４９）。
【００７２】
次いで、携帯端末４は、「スマホＩＤ、本体ＩＤをバッテリＩＤに登録します。バッテリにかざしてください。」等の表示を行う（ステップＳ１５０）。
【００７３】
次いで、携帯端末４は、近接無線機能のＷｒｉｔｅモードをＯＮにし（ステップＳ１５１）、電動工具本体２に本体情報を書き込む（ステップＳ１５２）。
【００７４】
サーバ問い合わせによりバッテリＩＤと本体ＩＤの照会で認証された場合（図７のステップＳ１２８のＹｅｓ）もしくはサーバ通信不可の場合の処理（ステップＳ１４４のＹｅｓ、Ｓ１５２）の後、図７において、携帯端末４は、既に取得したバッテリ情報からバッテリ状況のチェックを行ない（ステップＳ１５３）、バッテリ寿命、使用可能時間、疲労度、バッテリ交換目安、バッテリＬＯＷ等を表示する（ステップＳ１５４）。
【００７５】
次いで、携帯端末４は、近接無線機能により電動工具本体２のロック解除要求を行ない（ステップＳ１５５）、本体情報の使用許可フラグをＯＮとし（ステップＳ１５６）、ＷｒｉｔｅモードをＯＮにし（ステップＳ１５７）、書き込み認証を行ない（ステップＳ１５８）、電動工具本体２へ本体情報を書き込む（ステップＳ１５９）。
【００７６】
電動工具本体２側の処理の詳細は後述するが、使用許可フラグがＯＮとされることで、電動工具本体２は使用が可能になる。
【００７７】
なお、主に図４に示した電動工具本体２とバッテリパック３のそれぞれに無線ＩＤチップ２１０と無線ＩＤチップ３１３が設けられる場合を前提にして、携帯端末４から電動工具本体２とバッテリパック３とに対して情報の読み書きを行うものとして説明を行ったが、図５に示すようにバッテリパック３にのみ無線ＩＤチップ３１３が設けられる場合には、電動工具本体２のメモリ２１２との間の情報の読み書きは、バッテリパック３のＣＰＵ３１０と電動工具本体２のＣＰＵ２０８の双方向通信を介して行われる。
【００７８】
また、バッテリパック３→電動工具本体２の順に携帯端末４をかざす場合の処理について説明したが、逆に電動工具本体２→バッテリパック３の順に携帯端末４をかざすようにしてもよい。
【００７９】
図９および図１０は携帯端末４としてのスマートフォンによる電動工具１に対する操作例を示す図であり、図９は電動工具１の電源がＯＮとなっている状態で携帯端末４により操作する場合を、図１０は電動工具１の電源がＯＦＦとなっている状態で携帯端末４による主な操作を終え、その後に電動工具１の電源をＯＮする場合を、それぞれ示している。
【００８０】
図９において、（ａ）で携帯端末４のアプリケーションを起動し、（ｂ）で電動工具１の電源をスイッチ２０４（図４、図５）によりＯＮにする。これにより、（ｃ）のようにバッテリパック３のセキュリティＬＥＤ３１６が点滅してセキュリティで保護されていることを示す。
【００８１】
この状態で、（ｄ）のように携帯端末４を画面表示の指示に従ってバッテリパック３にかざし、正常に認証されると、バッテリパック３のセキュリティＬＥＤ３１６がグリーンに点灯してセキュリティが解除され、今度は電動工具本体２のセキュリティＬＥＤ２１４が点滅してセキュリティで保護されていることを示す。
【００８２】
この状態で、（ｅ）のように携帯端末４を画面表示の指示に従って電動工具本体２にかざし、正常に認証されると、電動工具本体２のセキュリティＬＥＤ２１４がグリーンに点灯してセキュリティが解除され、電動工具１は使用可能となる。また、（ｆ）のように携帯端末４には認証結果や電動工具本体２やバッテリパック３の機器状態が画面表示される。
【００８３】
図１０において、（ａ）で携帯端末４のアプリケーションを起動し、（ｂ）で電動工具１の電源がＯＦＦの状態で携帯端末４を画面表示の指示に従ってバッテリパック３にかざし、正常に認証されると、バッテリパック３のセキュリティＬＥＤ３１６は点灯しないが、携帯端末４の画面には結果が表示される。
【００８４】
この状態で、（ｃ）のように携帯端末４を画面表示の指示に従って電動工具本体２にかざし、正常に認証されると、電動工具本体２のセキュリティＬＥＤ２１４は点灯しないが、携帯端末４の画面には結果が表示される。
【００８５】
この状態で、（ｄ）のように電動工具１の電源をスイッチ２０４（図４、図５）によりＯＮにすると、（ｅ）のように電動工具本体２のセキュリティＬＥＤ２１４とバッテリパック３のセキュリティＬＥＤ３１６がグリーンに点灯し、電動工具１は使用可能となる。また、（ｆ）のように携帯端末４には認証結果や電動工具本体２やバッテリパック３の機器状態が画面表示される。
【００８６】
図１１は無線ＩＤチップ２１０、３１３の処理例を示すフローチャートである。
【００８７】
図１１において、外部から電磁波を受信して自前で電源を供給するか、電動工具本体２もしくはバッテリパック３内で電源供給がされることにより動作を開始すると（ステップＳ２０１）、パッシブモードとなる（ステップＳ２０２）。
【００８８】
次いで、ＩＤ要求がないと（ステップＳ２０３のＮｏ）、ＩＤ要求の判断（ステップＳ２０３）に戻る。
【００８９】
ＩＤ要求があると（ステップＳ２０３のＹｅｓ）、モジュールＩＤを送出する（ステップＳ２０４）。
【００９０】
次いで、メモリリード要求があり（ステップＳ２０５のＹｅｓ）、要求に伴うキーワードチェックの認証が行われると（ステップＳ２０６のＹｅｓ）、メモリ値を送出する（ステップＳ２０７）。メモリ値の送出が完了しない場合（ステップＳ２０８のＮｏ）、メモリ値の送出（ステップＳ２０７）を繰り返す。
【００９１】
メモリリード要求でない場合（ステップＳ２０５のＮｏ）、認証が行えない場合（ステップＳ２０６のＮｏ）もしくはメモリ値の送出が完了した場合（ステップＳ２０８のＹｅｓ）、メモリライト要求があり（ステップＳ２０９のＹｅｓ）、要求に伴うキーワードチェックの認証が行われると（ステップＳ２１０のＹｅｓ）、データ送信要求を行なう（ステップＳ２１１）。
【００９２】
受信が正常に行われると（ステップＳ２１２のＹｅｓ）、受信データをメモリに書き込み（ステップＳ２１３）、書き込みが完了しない場合（ステップＳ２１４のＮｏ）、メモリの書き込み（ステップＳ２１３）を繰り返す。
【００９３】
メモリライト要求でない場合（ステップＳ２０９のＮｏ）、認証が行えない場合（ステップＳ２１０のＮｏ）、受信が正常に行われない場合（ステップＳ２１２のＮｏ）もしくはメモリの書き込みが完了した場合（ステップＳ２１４のＹｅｓ）、ＩＤ要求の判断（ステップＳ２０３）に戻る。
【００９４】
図１２はバッテリパック３に内蔵されるＣＰＵ３１０の処理例を示す図である。
【００９５】
図１２において、電動工具本体２のスイッチ２０４がＯＮとされることでバッテリパック３のＣＰＵ３１０の電源がＯＮとなる（ステップＳ３０１）。
【００９６】
ＣＰＵ３１０は、ＣＲ並列回路３１１が接続される入出力ポートを入力ポートに設定する（ステップＳ３０２）。
【００９７】
次いで、ＣＰＵ３１０は、バッテリ制御回路３０４からバッテリ制御値を取得する（ステップＳ３０３）。
【００９８】
次いで、ＣＰＵ３１０は、取得したバッテリ制御値に基づいてバッテリ寿命や電圧が正常であるか否か判断し（ステップＳ３０４）、正常でなければ（ステップＳ３０４のＮｏ）、バッテリ電圧がＬＯＷである等を表示し（ステップＳ３０５）、使用不可として処理を終了する（ステップＳ３０６）。
【００９９】
バッテリ寿命や電圧が正常であると判断した場合（ステップＳ３０４のＹｅｓ）、バッテリが正常である旨を表示し（ステップＳ３０７）、セキュリティＬＥＤを点滅させる（ステップＳ３０８）。
【０１００】
次いで、ＣＰＵ３１０は、無線ＩＤチップ３１３のメモリチェックを行ない（ステップＳ３０９）、続いて、ＣＲ並列回路３１１が接続される入力ポートの電圧により前回の正常使用から所定時間（例えば、１日）以内に対応する所定の電圧であるか否か判断する（ステップＳ３１０）。
【０１０１】
所定の電圧でないと判断した場合（ステップＳ３１０のＮｏ）、機器情報テーブルの使用許可フラグはＯＮであるか否か判断し（ステップＳ３１１）、ＯＮでない場合（ステップＳ３１１のＮｏ）はセキュリティＬＥＤの点滅（ステップＳ３０８）に戻る。なお、無線ＩＤチップ３１３には携帯端末４からアクセスが行われるとデータが書き込まれて使用許可フラグがＯＮとされることができる。
【０１０２】
使用許可フラグがＯＮであるあると判断した場合（ステップＳ３１１のＹｅｓ）、機器情報テーブルのＩＤチェックを行ない（ステップＳ３１２）、一致しない場合（ステップＳ３１２のＮｏ）はセキュリティＬＥＤの点滅（ステップＳ３０８）に戻る。
【０１０３】
入力ポートが電圧所定の電圧であると判断した場合（ステップＳ３１０のＹｅｓ）もしくは機器情報テーブルのチェックが問題ない場合（ステップＳ３１２のＹｅｓ）、トランジスタ３１２をＯＮにし（ステップＳ３１３）、セキュリティＬＥＤを点灯に切り換える（ステップＳ３１４）。
【０１０４】
次いで、ＣＰＵ３１０は、ＣＲ並列回路３１１が接続される入出力ポートを出力ポートに設定するとともに、その出力レベルをＨｉｇｈにしてＣＲ並列回路３１１の充電を開始する（ステップＳ３１５）。
【０１０５】
これにより、バッテリパック３は使用可能な状態となる（ステップＳ３１６）。
【０１０６】
図１３は電動工具本体２に内蔵されるＣＰＵ２０８の処理例を示す図である。
【０１０７】
図１３において、電動工具本体２のスイッチ２０４がＯＮとされることで電動工具本体２のＣＰＵ２０８の電源がＯＮとなる（ステップＳ４０１）。
【０１０８】
ＣＰＵ２０８は、ＣＲ並列回路２０９が接続される入出力ポートを入力ポートに設定する（ステップＳ４０２）。
【０１０９】
次いで、ＣＰＵ２０８は、セキュリティＬＥＤを点滅させる（ステップＳ４０３）。
【０１１０】
次いで、ＣＰＵ２０８は、無線ＩＤチップ２１０のメモリチェックを行ない（ステップＳ４０４）、続いて、ＣＲ並列回路２０９が接続される入力ポートの電圧により前回の正常使用から所定時間（例えば、１日）以内に対応する所定の電圧であるか否か判断する（ステップＳ４０５）。
【０１１１】
所定の電圧でないと判断した場合（ステップＳ４０５のＮｏ）、機器情報テーブルの使用許可フラグはＯＮであるか否か判断し（ステップＳ４０６）、ＯＮでない場合（ステップＳ４０６のＮｏ）はセキュリティＬＥＤの点滅（ステップＳ４０３）に戻る。
【０１１２】
使用許可フラグがＯＮであるあると判断した場合（ステップＳ４０６のＹｅｓ）、機器情報テーブルのＩＤチェックを行ない（ステップＳ４０７）、一致しない場合（ステップＳ４０７のＮｏ）はセキュリティＬＥＤの点滅（ステップＳ４０３）に戻る。
【０１１３】
入力ポートが電圧所定の電圧であると判断した場合（ステップＳ４０５のＹｅｓ）もしくは機器情報テーブルのチェックが問題ない場合（ステップＳ４０７のＹｅｓ）、モータ制御回路２０５への本体制御出力をＯＮにし（ステップＳ４０８）、セキュリティＬＥＤを点灯に切り換える（ステップＳ４０９）。
【０１１４】
次いで、ＣＰＵ２０８は、ＣＲ並列回路２０９が接続される入出力ポートを出力ポートに設定するとともに、その出力レベルをＨｉｇｈにしてＣＲ並列回路２０９の充電を開始する（ステップＳ４１０）。
【０１１５】
これにより、電動工具本体２は使用可能な状態となる（ステップＳ４１１）。
【０１１６】
＜総括＞
以上説明したように、本実施形態によれば次のような利点がある。
（１）携帯端末が電子キーとして作用し、盗難をしても使用できないので盗難は無駄という考えを起こさせ、操作性を損なわずに盗難を有効に抑止することができる。間違って持ち去った場合や紛失物を取得した場合でも、使用できないことから、持ち主に戻ってくることが期待できる。
（２）肌身離さず携帯されることが期待されるスマートフォン等の携帯端末を電子キーとして使用するため、携帯するのを忘れたり紛失したりすることが少なくなる。
（３）電動工具本体とバッテリを別々に管理し、相互の接続関係も管理するため、バッテリパックと本体の種々の組み合わせに対応することができる。
（４）電動工具本体とバッテリの互換性を管理することで使用が可能なバッテリパックを制限できるとともに、バッテリの実際の状況を確認するため、粗悪バッテリによる事故を有効に防止し、安全性を高めることができる。これにより、製品安全保証を消費者に提供し、電動工具のメーカもその証明が簡単になる。
（５）既存の電動工具に簡易なＣＰＵチップと無線ＩＤチップを付加するだけでよいため、少ない部品点数かつ低価格で実現することができる。
（６）サーバ側で電動工具本体とバッテリを管理するため、電動工具の資産管理にも応用することができる。
（７）サーバの管理する情報に基づき、電動工具のバッテリライフ、メンテナンス要／不要などの情報提供（携帯端末への表示等）を行うこともできる。
（８）ネットワークを介してメーカや販売店と情報交換が容易になるため、バッテリの注文、在庫の予測管理、回収の連絡等の簡単操作を提供することも可能になる。
【０１１７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１１８】
１                  電動工具
２                  電動工具本体
２０１、２０２      外部接続端子
２０３              モータ
２０４              スイッチ
２０５              モータ制御回路
２０６、２０７      外部接続端子
２０８              ＣＰＵ
２０９              ＣＲ並列回路
２１０              無線ＩＤチップ
２１１              ダイオード
２１２              メモリ
２１３              外部接続端子
２１４              セキュリティＬＥＤ
３                  バッテリパック
３０１、３０２      外部接続端子
３０３              バッテリセル
３０４              バッテリ制御回路
３０５              トランジスタ
３０６              抵抗
３０７              サーミスタ
３０８、３０９      外部接続端子
３１０              ＣＰＵ
３１１              ＣＲ並列回路
３１２              トランジスタ
３１３              無線ＩＤチップ
３１４              ダイオード
３１５              外部接続端子
３１６              セキュリティＬＥＤ
４                  携帯端末
５                  アクセスポイント
６                  ネットワーク
７                  情報収集サーバ
８                  メーカサーバ
【先行技術文献】
【特許文献】
【０１１９】
【特許文献１】特開２００４−１８１５４９号公報
【図１】
0005915398.tif 000002
【図２】
0005915398.tif 000003
【図３】
0005915398.tif 000004
【図４】
0005915398.tif 000005
【図５】
0005915398.tif 000006
【図６】
0005915398.tif 000007
【図７】
0005915398.tif 000008
【図８】
0005915398.tif 000009
【図９】
0005915398.tif 000010
【図１０】
0005915398.tif 000011
【図１１】
0005915398.tif 000012
【図１２】
0005915398.tif 000013
【図１３】
0005915398.tif 000014